(57)【要約】【課題】倒立噴射時には、導入口のみから適量のエアゾール内容物を導入して適量の噴射を可能とする。エアゾール容器を正立状態としたときには、ハウジング内のエアゾール内容物をエアゾール容器内に排出し、ハウジング内に残量を生じさせない。残留によって発生するエアゾール内容物の凝縮や固化を防止し、バルブ機構の作動不良や、作動不能を生じることが無い。【解決手段】ハウジング１５の側面に、エアゾール容器１１内部と連通する導入口２４を開口する。ハウジング１５とエアゾール容器１１とを連通する連通路２５を、ハウジング１１の下端に設ける。この連通路２５に逆止弁２６を配置し、この逆止弁２６をエアゾール容器１１の倒立時には連通路２５を閉止すると共に正立時には開弁してハウジング１５内に残留しているエアゾール内容物を、連通路２５を介してハウジング１１内に排出可能とする。【選択図】    図１
2004168320.tif 000002
【特許請求の範囲】
【請求項１】
ハウジング内に下端を挿入したステムを発条により外部方向に押圧付勢すると共に発条の付勢力に抗してステムをハウジング内方向に押圧移動する事により、ステムガスケットによるステムオリフィスの密閉を解除してエアゾール内容物の噴射を可能とするものに於いて、ハウジングの側面に、ハウジング内とエアゾール容器内部とを連通する導入口を開口すると共に、ハウジング内部とエアゾール容器内部とを連通する連通路を、エアゾール容器の正立時に於けるハウジングの下端に設け、この連通路に逆止弁を配置し、この逆止弁をエアゾール容器の倒立時には連通路を閉止すると共にエアゾール容器の正立時には開放してハウジング内に残留しているエアゾール内容物を、連通路を介してハウジング内に排出可能としたことを特徴とする倒立噴射用エアゾール容器。
【請求項２】
逆止弁は、ボール弁にて形成した事を特徴とする請求項１の倒立噴射用エアゾール容器。
【発明の詳細な説明】
【０００１】
【産業上の利用分野】
本発明は倒立噴射用エアゾール容器に係るもので、エアゾール容器の倒立噴射時にハウジング内に導入したエアゾール内容物が、非噴射状態であるエアゾール容器の正立時に、ハウジング内に残留して固化する等の不具合を生じることが無い倒立噴射用エアゾール容器を得ようとするものである。
【０００２】
【従来の技術】
従来、エアゾール容器内のエアゾール内容物を噴射するには、その使用形態に於いて、エアゾール容器のステムが上方に位置した状態で行う正立噴射方法、エアゾール容器のステムが下方に位置した状態で行う倒立噴射方法、エアゾール容器を水平に位置して行う噴射方法等があった。これらの方法は、エアゾール内容物の噴射目的に応じて選択するものである。
【０００３】
本発明は倒立噴射用エアゾール容器に係るものであるが、従来倒立噴射用エアゾール容器（１）は、図３に示す如く、断面コ字型に形成したハウジング（２）の側面にエアゾール内容物の導入口（３）を開口し、エアゾール容器（１）を倒立状態としたときに、この導入口（３）からエアゾール内容物をハウジング（２）内に導入し、ステム（４）のステムオリフィス（５）を介して押釦（６）のノズル（７）から噴射する。このように、ハウジング（２）の側面にエアゾール内容物の導入口（３）を開口するのは、エアゾール容器（１）の倒立状態で下方に位置するエアゾール内容物を、残量を少なく外部に噴射する上で有効である。
【０００４】
また、エアゾール内容物のハウジング（２）への過剰導入を防止するため、導入口（３）の直径を小さく形成する上でも有効なものである。そして、エアゾール内容物のハウジング（２）への過剰導入を防止するため、ハウジング（２）にはエアゾール容器（１）の内部と連通する開口は、導入口（３）以外は形成していない。
【０００５】
【発明が解決しようとする課題】
しかしながら、エアゾール容器（１）の内部と連通する口を、導入口（３）以外はハウジング（２）に形成しないと、エアゾール内容物の倒立噴射を完了しエアゾール容器（１）を正立状態に復元したときに、ハウジング（２）内に残留したエアゾール内容物が、次回の内容物噴射までの間に固化し、エアゾール内容物の噴射不良や噴射不能を生じる可能性があった。この傾向はエアゾール内容物に粉末を含む場合、粘度が高い場合等に於いて顕著なものであった。
【０００６】
本発明は上述の如き課題を解決するため、エアゾール容器（１）の倒立噴射時には導入口（３）のみから適量のエアゾール内容物を導入して過剰導入を防止し、噴射の終了によってエアゾール容器（１）を正立状態としたときには、ハウジング（２）内のエアゾール内容物をエアゾール容器（１）内に排出し、ハウジング（２）内に残量を生じないようにしようとするものである。
【０００７】
【課題を解決するための手段】
本発明は、上述の如き課題を解決するため、ハウジング内に下端を挿入したステムを発条により外部方向に押圧付勢すると共に発条の付勢力に抗してステムをハウジング内方向に押圧移動する事により、ステムガスケットによるステムオリフィスの密閉を解除してエアゾール内容物の噴射を可能とするものに於いて、ハウジングの側面に、ハウジング内とエアゾール容器内部とを連通する導入口を開口すると共に、ハウジング内部とエアゾール容器内部とを連通する連通路を、エアゾール容器の正立時に於けるハウジングの下端に設け、この連通路に逆止弁を配置し、この逆止弁をエアゾール容器の倒立時には連通路を閉止すると共にエアゾール容器の正立時には開弁してハウジング内に残留しているエアゾール内容物を、連通路を介してハウジング内に排出可能として成るものである。
【０００８】
また、逆止弁は、ボール弁にて形成したものであっても良い。
【０００９】
【作用】
本発明は、上述の如く構成したものであるから、エアゾール容器からエアゾール内容物の噴射を行おうとする場合は、エアゾール容器を倒立状態とする。この倒立状態とすることにより、エアゾール容器内のエアゾール内容物はハウジング側に移動し導入口と接触する。この状態で、押釦等を介してステムを発条の付勢力に抗してハウジング内方向に押圧移動する事により、ステムガスケットによるステムオリフィスの密閉が解除され、ハウジング内部とエアゾール容器の外部が連通するため、導入口からハウジング内に導入したエアゾール内容物の噴射をノズル等から可能とする。
【００１０】
このエアゾール内容物の噴射状態では、ハウジングの内部とエアゾール容器の内部とを連通する連通路を、この連通路に設けた逆止弁で閉止しているから、導入口以外からエアゾール内容物が導入されることはなく、適量のエアゾール内容物のみがハウジング内に導入されるため、エアゾール内容物の過剰噴射を防止することが可能である。
【００１１】
エアゾール内容物の噴射を終了するには、ステムへの押圧を解除することにより、ステムは発条の付勢力で元位置に復元し、ステムガスケットによるステムオリフィスの密閉が行われるためエアゾール内容物の噴射は終了する。この終了状態では、ハウジング内に連続噴射時と同量のエアゾール内容物が残留している。エアゾール内容物の噴射終了後、エアゾール容器は正立状態に戻されて保存されるが、エアゾール容器を正立状態に戻すと、ハウジング内部とエアゾール容器内部とを連通する連通路の逆止弁が開弁し連通路を開放するから、ハウジング内に残留しているエアゾール内容物は、連通路からエアゾール容器内に排出されハウジング内に残留することがない。そのため、エアゾール容器が噴射使用後、長期間保存されるような場合も、ハウジング内でエアゾール内容物が固化することにより生じる、噴射不良や噴射不能を生じることがないものである。
【００１２】
【実施例】
以下、本発明の一実施例を図面に於て説明すれば、（１１）はエアゾール容器で、図１に示す如く、上端の開口部（１２）をシールパッキン（１３）を介してマウテンカップ（１４）により密閉している。このマウテンカップ（１４）の中央部内面には、ハウジング（１５）の上端を固定し、このハウジング（１５）内にステム（１６）の下端をステムガスケット（１７）を介して挿入している。また、ステム（１６）は発条（１８）により外部方向に押圧付勢し、この外部方向への押圧付勢状態で、ステムガスケット（１７）によりステムオリフィス（２０）の密閉状態を保っている。そして、このステム（１６）は外方への突出部（２１）にノズル（２２）を備えた押釦（２３）を接続し、この押釦（２３）を発条（１８）の付勢力に抗して押圧し、ステム（１６）をハウジング（１５）の内部方向に押圧移動する事により、ステムガスケット（１７）によるステムオリフィス（２０）の密閉を解除してエアゾール内容物の噴射を可能とする。
【００１３】
また、ハウジング（１５）の側面には、ハウジング（１５）内とエアゾール容器（１１）の内部とを連通する導入口（２４）を開口する。この導入口（２４）は、ハウジング（１５）内へのエアゾール内容物の、単位時間当たりの導入量を制限出来るように直径、長さ等を決定することにより、エアゾール内容物の過剰な噴射が行われないように形成している。
【００１４】
また、図１に示す如く、ハウジング（１５）の下端には、ハウジング（１５）の内部とエアゾール容器（１１）の内部とを連通する連通路（２５）を、ハウジング（１５）内に残留したエアゾール内容物が短時間でエアゾール容器（１１）の内部に排出できるよう十分な直径で形成している。この連通路（２５）は、エアゾール容器（１１）の正立時に於けるハウジング（１５）の下端に設けるとともに、この連通路（２５）には逆止弁（２６）を配置している。この逆止弁（２６）を、エアゾール容器（１１）の倒立時には連通路（２５）を閉弁すると共にエアゾール容器（１１）の正立時には開放して、ハウジング（１５）内に残留しているエアゾール内容物を、連通路（２５）を介してハウジング（１５）内に排出可能としている。
【００１５】
また、上記の逆止弁（２６）は一実施例に於いてボール弁（２７）にて形成している。このボール弁（２７）は、図２に示す如く、エアゾール容器（１１）の倒立状態で連通路（２５）に設けた弁座（２８）に密着し、連通路（２５）の流通を遮断すると共にエアゾール容器（１１）の正立状態に於いては、図１に示す如く弁座（２８）から自重で分離し、連通路（２５）の内方に一定間隔で複数個突出した係合突起（３０）に係合する。エアゾール容器（１１）の正立状態に於いては、複数突出した係合突起（３０）の間隔からエアゾール内容物をエアゾール容器（１１）内に排出することが出来る。また、連通路（２５）の内周軸方向に複数の凹溝（３１）を設けることにより、エアゾール内容物の排出が更に確実なものとなる。
【００１６】
また、逆止弁（２６）であるボール弁（２７）の連通路（２５）への設置は、ハウジング（１５）と一体に設けた連通路（２５）に形成しても良いが、図１，図２に示す実施例では、ハウジング（１５）とは別体に設けた別部材（３２）に、逆止弁（２６）であるボール弁（２７）と連通路（２５）とを形成し、この別部材（３２）をハウジング（１５）の、正立状態に於ける下端外周に装着し、ハウジング（１５）と別部材（３２）の連通路（２５）を連通している。
【００１７】
また、上記の構成は粉末を含むエアゾール内容物や、粘度の高いエアゾール内容物如く、エアゾール内容物が凝縮を生じやすいとか、粘度が高い場合に特に有効なものである。
【００１８】
上述の如く構成したものに於いて、エアゾール容器（１１）からエアゾール内容物の噴射を行おうとする場合は、図２に示す如く、エアゾール容器（１１）を倒立状態とする。この倒立状態とすることにより、エアゾール容器（１１）内のエアゾール内容物は、ハウジング（１５）側に移動し導入口（２４）と接触する。この状態で、押釦（２３）を押圧し、ステム（１６）を発条（１８）の付勢力に抗してハウジング（１５）内方向に押圧移動する事により、ステムガスケット（１７）によるステムオリフィス（２０）の密閉が解除され、ハウジング（１５）内部とエアゾール容器（１１）の外部が連通するため、導入口（２４）からハウジング（１５）内に導入したエアゾール内容物の噴射を可能とする。
【００１９】
このエアゾール内容物の噴射状態では、ハウジング（１５）の内部とエアゾール容器（１１）の内部とを連通する連通路（２５）を、逆止弁（２６）であるボール弁（２７）が弁座（２８）に密着して閉止しているから、導入口（２４）以外からエアゾール内容物がハウジング（１５）内に導入されることはなく、エアゾール内容物の過剰噴射を防止することが可能である。
【００２０】
そして、エアゾール内容物の噴射を終了するには、ステム（１６）への押圧を解除することにより、ステム（１６）は発条（１８）の付勢力で元位置に復元し、ステムガスケット（１７）によるステムオリフィス（２０）の密閉が行われるため、エアゾール内容物の噴射は終了する。この噴射終了状態では、ハウジング（１５）内に連続噴射時と同量のエアゾール内容物が残留している。
【００２１】
エアゾール内容物の噴射終了後、エアゾール容器（１１）は図１に示す如く、正立状態に戻されて保存されるが、エアゾール容器（１１）を正立状態に戻すと、ハウジング（１５）内部とエアゾール容器（１１）内部とを連通する連通路（２５）のボール弁（２７）が弁座（２８）から離脱し、連通路（２５）を開放するから、ハウジング（１５）内に残留しているエアゾール内容物は、連通路（２５）からエアゾール容器（１１）内に排出され、ハウジング（１５）内に残留することがない。そのため、エアゾール容器（１１）が噴射使用後に長期間保存されるような場合も、ハウジング（１５）内でエアゾール内容物が固化することにより生じる、噴射不良や噴射不能を生じることがないものである。
【００２２】
以下に、エアゾール内容物の具体的処方の一例を記載する。
（１）消炎剤
インドメタシン                        ０．７重量％
Ｌ−メントール                        ２．１重量％
シリカ                                ２．１重量％
炭化水素系溶剤                        ３．５重量％
アルコール類                        ２１．０重量％
水                                  ３９．２重量％
活性剤                                １．４重量％
ＤＭＥ                                              ３０．０重量％
合計                              １００．０重量％
【００２３】
（２）消炎剤
ブフェキサマック                      １．００重量％
タルク                                ０．４０重量％
カルボキシメチルセルロース            ０．０４重量％
アルコール類                          ８．００重量％
水                                  ２８．９６重量％
活性剤                                １．２０重量％
シリコン                              ０．４０重量％
ＬＰＧ                                              ６０．００重量％
合計                              １００．００重量％
【００２４】
（３）消炎剤
アラントイン                          ０．３５重量％
酸化亜鉛                              ０．７０重量％
ポリ四ふっ化エチレンパウダー          ３．５０重量％
炭化水素系溶剤                        ３．５０重量％
アルコール類                        １０．５０重量％
エステル系溶剤                        ３．５０重量％
水                                  ４５．８５重量％
活性剤                                ２．１０重量％
ＤＭＥ                                              ３０．００重量％
合計                              １００．００重量％
【００２５】
（４）消炎剤
サリチル酸メチル                      ０．６５０重量％
カンファー                            ０．６５０重量％
カルボキシメチルセルロース            ０．０６５重量％
炭化水素系溶剤                        １．３００重量％
アルコール類                        ６０．３８５重量％
エステル系溶剤                                  １．３００重量％
活性剤                                ０．６５０重量％
ＬＰＧ                                              １７．５００重量％
ＤＭＥ                              １７．５００重量％
合計                              １００．０００重量％
【００２６】
（５）制汗剤
塩化アルミニウム                        １．７５重量％
ナイロンパウダー                        １．７５重量％
エステル系溶剤                          １．４０重量％
活性剤                                  ０．０５重量％
シリコン類                              ０．０５重量％
ＬＰＧ                                              ９５．００重量％
合計                                  １００．００重量％
【００２７】
（６）忌避剤
Ｎ，Ｎ−ジエチルトルアミド            ５．００重量％
カオリン                              ０．０５重量％
ベントナイト                          ０．５０重量％
炭化水素系溶剤                        ０．５０重量％
アルコール類                        ４２．２０重量％
エステル系溶剤                        １．００重量％
活性剤                                ０．２５重量％
シリコン類                            ０．５０重量％
ＬＰＧ                                            ５０．００重量％
合計                              １００．００重量％
【００２８】
（５）鎮痒剤
クロタミトン                          ３．２５０重量％
Ｌ−メントール                        ０．６５０重量％
カンファー                            ０．３２５重量％
酸化チタン                            ０．１３０重量％
ゼオライト                            ０．０６５重量％
炭化水素系溶剤                        ０．６５０重量％
アルコール類                        ５７．３３０重量％
エステル系溶剤                        １．９５０重量％
活性剤                                ０．６５０重量％
ＬＰＧ                                            ２４．５００重量％
ＤＭＥ                              １０．５００重量％
合計                              １００．０００重量％
【００２９】
（６）着色剤
Ｌ−メントール                        ０．１７５重量％
カーボンブラック                      １．７５０重量％
炭化水素系溶剤                      ２０．５８０重量％
アルコール類                          ７．０００重量％
ハロゲン系溶剤                        ５．２５０重量％
活性剤                                ０．１０５重量％
シリコン類                                          ０．１４０重量％
ＬＰＧ                              ６５．０００重量％
合計                              １００．０００重量％
【００３０】
【発明の効果】
本発明は上述の如く構成したものであるから、エアゾール容器を倒立して行うエアゾール内容物の噴射時には、導入口のみから適量のエアゾール内容物を導入して過剰導入を防止し、適量の噴射を可能とする。また、噴射の終了によってエアゾール容器を正立状態としたときには、ハウジング内のエアゾール内容物をエアゾール容器内に排出し、ハウジング内にエアゾール内容物の残量を生じさせないから、ハウジング内へのエアゾール内容物の残留によって発生するエアゾール内容物の凝縮や固化が生じない。そのため、バルブ機構の作動不良や、作動不能を生じることが無く、長期間の保存に於いてもエアゾール内容物の全量使用を可能とすることが出来るものである。
【図面の簡単な説明】
【図１】エアゾール容器の正立状態を示す断面図。
【図２】エアゾール容器の倒立状態を示す断面図。
【図３】従来例を示す断面図。
【符号の説明】
１１    エアゾール容器
１５    ハウジング
１６    ステム
１７    ステムガスケット
１８    発条
２０    ステムオリフィス
２４    導入口
２５    連通路
２６    逆止弁
２７    ボール弁
【図１】
2004168320.tif 000003
【図２】
2004168320.tif 000004
【図３】
2004168320.tif 000005